(57)【要約】  下部フィルム（４１０）と、下部フィルム（４１０）の上に配置された上部フィルム（３１０）とを含むテープ（１７０）であって、下部フィルム（４１０）の上に乾燥棒（１８０ａ，１８０ｂ，１８０ｃ）が分離して配置され、乾燥棒（１８０ａ，１８０ｂ，１８０ｃ）が、動物（１００）のミルク試料の少なくとも一つバイオマーカー値を示すように構成され、上部フィルム（３１０）が、複数の乾燥棒（１８０ａ，１８０ｂ，１８０ｃ）をカバーし、かつ乾燥棒（１８０ａ，１８０ｂ，１８０ｃ）へのミルク試料の付与前に個々の乾燥棒（１８０ａ，１８０ｂ，１８０ｃ）から剥離するように構成されている。【選択図】  図１
2021509466.tif 000002
【特許請求の範囲】
【請求項１】
下部フィルム（４１０）と、上部フィルム（３１０）とを含むテープ（１７０）であって、下部フィルム（４１０）の上に複数の乾燥棒（１８０ａ，１８０ｂ，１８０ｃ）が分離して配置され、複数の乾燥棒（１８０ａ，１８０ｂ，１８０ｃ）が、動物（１００）のミルク試料の少なくとも一つバイオマーカー値を示すように構成され、上部フィルム（３１０）が、下部フィルム（４１０）の上に配置された複数の乾燥棒（１８０ａ，１８０ｂ，１８０ｃ）をカバーし、かつ複数の乾燥棒（１８０ａ，１８０ｂ，１８０ｃ）へのミルク試料の付与前に個々の乾燥棒（１８０ａ，１８０ｂ，１８０ｃ）から剥離されるように構成されている、テープ（１７０）。
【請求項２】
複数の乾燥棒（１８０ａ，１８０ｂ，１８０ｃ）が、テープ（１７０）の長手方向軸（１９６）に直交する軸（１９７）に対して少なくとも１０度の傾斜角度（α）を伴なって下部フィルム（４１０）の上に配置されている、請求項１に記載のテープ（１７０）。
【請求項３】
下部フィルム（４１０）が、下部層（４１１）、中間層（４１２）、及び上部層（４１３）を含む、請求項１又は２に記載のテープ（１７０）。
【請求項４】
上部フィルム（３１０）が、下部層（３１１）、中間層（３１２）、及び上部層（３１３）を含む、請求項１〜３のいずれかに記載のテープ（１７０）。
【請求項５】
下部フィルム（４１０）及び／又は上部フィルム（３１０）の下部層（３１１，４１１）及び上部層（３１３，４１３）が、プラスチックから作られ、中間層（３１２，４１２）が、アルミニウムから作られる、請求項３又は４に記載のテープ（１７０）。
【請求項６】
下部フィルム（４１０）の上部層（４１３）が、ポリエチレンから作られる、請求項３〜５のいずれかに記載のテープ（１７０）。
【請求項７】
上部フィルム（３１０）の下部層（３１１）が、ポリエチレン、ポリアミド、ポリエチレンテレフタレート、ポリエチレンテレフタレートポリエステルから作られる、請求項４〜６いずれかに記載のテープ（１７０）。
【請求項８】
下部フィルム（４１０）の上部層（４１３）と上部フィルム（３１０）の下部層（３１１）の間に作られる溶接継目（１８１ａ，１８１ｂ，１８１ｃ）によって、各々分離して配置された複数の乾燥棒（１８０ａ，１８０ｂ，１８０ｃ）のまわりに封止が作られている、請求項３〜７のいずれかに記載のテープ（１７０）。
【請求項９】
上部フィルム（３１０）の中間層（３１２）が、下部フィルム（４１０）の中間層（４１２）より薄い、請求項３〜８のいずれかに記載のテープ（１７０）。
【請求項１０】
下部フィルム（４１０）及び／又は上部フィルム（３１０）の中間層（３１２，４１２）が、９μｍ〜２５μｍの厚さを有する、請求項３〜９のいずれかに記載のテープ（１７０）。
【請求項１１】
各々分離して配置された複数の乾燥棒（１８０ａ，１８０ｂ，１８０ｃ）が、溶接継目（１８１ａ，１８１ｂ，１８１ｃ）によって個々に封止され、封止された複数の乾燥棒（１８０ａ，１８０ｂ，１８０ｃ）が、互いに離れて配置されている、請求項１〜１０のいずれかに記載のテープ（１７０）。
【請求項１２】
クリーニング時に液体を複数の乾燥棒（１８０ａ，１８０ｂ，１８０ｃ）から離れるように運搬するように構成された、下部フィルム（４１０）上の複数の乾燥棒（１８０ａ，１８０ｂ，１８０ｃ）の少なくとも幾つかの溶接継目（１８１ａ，１８１ｂ，１８１ｃ）の間に配置された開口（１９０ａ，１９０ｂ，１９０ｃ）を含む、請求項１１に記載のテープ（１７０）。
【請求項１３】
下部フィルム（４１０）が、複数の乾燥棒（１８０ａ，１８０ｂ，１８０ｃ）を見つける際にカメラ（２１０）を助けるように構成された参照マーク（１８５ａ，１８５ｂ，１８５ｃ）を含む、請求項１〜１２のいずれかに記載のテープ（１７０）。
【請求項１４】
参照マーク（１８５ａ，１８５ｂ，１８５ｃ）が、複数の乾燥棒（１８０ａ，１８０ｂ，１８０ｃ）からの上部フィルム（３１０）の剥離を調整する際にカメラ（２１０）を助けるように構成される、請求項１３に記載のテープ（１７０）。
【請求項１５】
テープ（１７０）の少なくとも下部フィルム（４１０）が、テープ（１７０）の第一縁（１７１）に配置された前進開口（１７５）の第一群（１７３）と、テープ（１７０）の第二縁（１７２）に配置された前進開口（１７５）の第二群（１７４）とを含む、請求項１〜１４のいずれかに記載のテープ（１７０）。
【請求項１６】
スプール（１３１，１３２）の上に巻かれるように構成された、請求項１〜１５のいずれかに記載のテープ（１７０）。
【請求項１７】
約４００〜６００個の乾燥棒（１８０ａ，１８０ｂ，１８０ｃ）を含む、請求項１〜１６のいずれかに記載のテープ（１７０）。
【発明の詳細な説明】
【技術分野】
【０００１】
この文書は、テープを開示する。特に、動物のミルク試料の少なくとも一つのバイオマーカー値を測定する乾燥棒を保持するためのテープが記載される。
【背景技術】
【０００２】
動物の飼育場では、ミルク／肉の生産を増大するために動物を健康に保つことが重要である。例えば、乳牛をうまく受精させるために最適なときに動物に精液を注入することが重要である。動物にうまく精液が注入されない場合には、ミルク生産に影響される。
【０００３】
例えばプロゲステロン、ＬＤＨ（乳酸デヒドロゲナーゼ）、ＢＨＢ（β−ヒドロキシ酪酸）、及び尿素のレベルを測定するような複数のバイオマーカーの測定が動物に対してなされることができる。それによって、例えば個々の動物の発熱検出又は妊娠に関する重要な情報が（測定されたプロゲステロンレベルに基づいて）作られることができ、同様に（ＬＤＨに基づいて）乳腺炎、及び（ＢＨＢに基づいて）ケトーシスに関する情報が作られることができる。また、エネルギーバランスが（尿素に基づいて）推定されることができる。
【０００４】
それによって、農家／オペレーターは、各個々の動物に関する重要な情報を与えられる。しかしながら、例えば調製された乾燥棒にミルク試料を付与し、これらの試料を分析することによって、農場で全ての個々の動物のバイオマーカーの測定を実施しかつ分析することは、農家にとって時間を消費している。それはまた、様々な動物からのバイオマーカーの測定を区別するために農家に対して高い管理技術を要求し、最初の動物のバイオマーカーの測定が別の動物の生物学的事項によって混乱しないように高い明確化を要求する。
【０００５】
これらの理由のため、もし様々な動物のミルク試料のバイオマーカー測定をとることが自動化され、それにより農家の手作業の手間を最小化するか又は少なくとも低減することができるなら、農家にとって有利であるだろう。
【０００６】
農家が彼らの動物を分析して農場での生産を増大させ、バイオマーカー測定値を検出するために調製された複数の個々の乾燥棒を取り扱う面倒な作業から解放されることを補助する方法を見い出すことが望ましいだろう。
【発明の概要】
【０００７】
従って、本発明の目的は、上述の問題の少なくともいくつかを解決することであり、オペレーターが動物のミルク試料のバイオマーカー値を測定することを容易にすることである。
【０００８】
本発明の第一態様によれば、この目的は、テープによって達成される。テープは、下部フィルム及び上部フィルムを含む。下部フィルムの上に、複数の乾燥棒が分離して配置される。これらの乾燥棒は、動物のミルク試料の少なくとも一つのバイオマーカー値を示すために構成される。上部フィルムは、複数の乾燥棒をカバーするために構成され、複数の乾燥棒は、下部フィルムの上に配置される。また、上部フィルムは、複数の乾燥棒へミルク試料を付与する前に個々の乾燥棒から剥離されるように構成される。
【０００９】
バイオマーカー（ｂｉｏｍａｒｋｅｒ）、又は生物学的マーカー（ｂｉｏｌｏｇｉｃａｌ  ｍａｒｋｅｒ）は、一般的に、動物のある生物学的状態又は条件の測定可能な指標に関する。バイオマーカー値は、動物の妊娠／繁殖と関連させることができる。
【００１０】
下部フィルム上で複数の乾燥棒を互いに分離するように保ち、それらを上部フィルムでカバーすることによって、使用されていない乾燥棒は、試験される動物以外の動物のミルクからの汚染からだけでなく、環境からの湿気、空気中の湿分、及び農業環境で出現しうる様々な不純物の影響からも保護される。試験のために使用される次の乾燥棒から上部フィルムを剥離することによって、自動的に、オペレーターは、必要なユーザーの努力を最小にしてバイオマーカー値の測定をなすための好都合な解決策を与えられ、それは、オペレーターの不足する農場においてもバイオマーカー値の測定を可能にし、オペレーターのいかなる特別な関与又は技術を必要としないものである。
【００１１】
第一態様によるテープの第一の可能な実施では、複数の乾燥棒は、テープの長手方向軸に直交する軸に対して少なくとも１０度の傾斜角度を伴なって下部フィルムの上に配置されることができる。
【００１２】
傾斜角度を伴なって下部フィルムの上に複数の乾燥棒を配置することによって、下部フィルムから上部フィルムを剥離し、試験のために使用される次の乾燥棒を露出することがより容易になる。
【００１３】
第一態様による、又はその第一の可能な実施によるテープの第二の可能な実施では、下部フィルムは、下部層、中間層、及び上部層を含むことができる。
【００１４】
下部フィルムを異なる層に分割することによって、異なる特性を持つ異なる材料が、異なる層のために選択されることができ、それは、改良されたテープ特性に導く。
【００１５】
第一態様による、又はそのいずれかの前に開示された可能な実施によるテープの第三の可能な実施では、上部フィルムは、下部層、中間層、及び上部層を含むことができる。
【００１６】
第一態様による、又はそのいずれかの前に開示された可能な実施によるテープの第四の可能な実施では、下部フィルム及び／又は上部フィルムの下部層及び上部層は、プラスチックから作られることができ、中間層は、アルミニウムから作られることができる。
【００１７】
中間層のアルミニウムは、テープに安定性を与えるが、流体バリヤーを形成することによって湿気から乾燥棒を保護する。一方、下部層及び上部層のプラスチックは、機械的衝撃からのアルミニウム層の保護を与え、テープ表面の摩擦を減少し、テープの滑らかな走行に導く。下部フィルムの上部層及び上部フィルムの下部層のプラスチックはまた、各乾燥棒のまわりの溶接を可能にする。
【００１８】
第一態様による、又はそのいずれかの前に開示された可能な実施によるテープの第五の可能な実施では、下部フィルムの上部層は、ポリエチレンから作られることができる。
【００１９】
ポリエチレンは、テープの上の各乾燥棒のまわりの封止を溶接するために特定の利点を伴なって利用されることができる。
【００２０】
第一態様による、又はそのいずれかの前に開示された可能な実施によるテープの第六の可能な実施では、上部フィルムの下部層は、ポリエチレン、ポリアミド、ポリエチレンテレフタレート、ポリエチレンテレフタレートポリエステルから作られることができる。
【００２１】
第一態様による、又はそのいずれかの前に開示された可能な実施によるテープの第七の可能な実施では、下部フィルムの上部層と上部フィルムの下部層の間に作られる溶接継目によって各々分離して配置された乾燥棒のまわりに封止が作られることができる。
【００２２】
第一態様による、又はそのいずれかの前に開示された可能な実施によるテープの第八の可能な実施では、上部フィルムの中間層は、下部フィルムの中間層より薄くすることができる。
【００２３】
上部フィルムのより薄いアルミニウム中間層を使用することによって、下部フィルムのより厚い中間層の特徴を強める希望の安定性を失わずにテープスプールの上により多くのテープを巻きとることができる。
【００２４】
第一態様による、又はそのいずれかの前に開示された可能な実施によるテープの第九の可能な実施では、下部フィルム及び／又は上部フィルムの中間層が、９μｍ〜２５μｍの厚さを有することができる。
【００２５】
第一態様による、又はそのいずれかの前に開示された可能な実施によるテープの第十の可能な実施では、各々分離して配置された乾燥棒は、溶接継目によって個々に封止される。封止された乾燥棒は、互いに離れて配置される。
【００２６】
それによって、使用されていない乾燥棒は、それらが使用され、上部フィルムが剥離されるまで、望まない湿分、湿気、汚れ、及び機械的損傷から保護され、それは、より信頼性のある測定値をもたらす。
【００２７】
第一態様による、又はそのいずれかの前に開示された可能な実施によるテープの第十一の可能な実施では、テープは、クリーニング時に液体移動を可能にするように構成された、下部フィルムの上の乾燥棒の少なくとも幾つかの溶接継目の間に配置された開口を含む。
【００２８】
カセットの後部分で液体排出器を受けるように構成された開口のおかげで、例えば異なる動物からのミルク試料間でミルク試料を付与する針の洗浄からの過剰の液体が収集されてカセットの外側に運搬されることができる。それによって、第一の動物のミルク試料から第二の動物のミルク試料にキャリーオーバーする危険が減少される。
【００２９】
第一の動物のミルクは、別の続く試験動物のミルク試料を汚染するかもしれない。汚染又はキャリーオーバーを避けるためには、管及び針は、ミルク試料が乾燥棒に付与される前に試験される動物のミルクで洗い流されることができる。試験される動物の洗い流したミルクが他の使用されていない乾燥棒をぬらしたり及び／又は汚染したりすることを避けるために、洗い流しは、テープの開口を通して、例えば開口を通して針を下げ、液体排出器で洗い流したミルクを捕獲することによってなされることができる。液体排出器は、次いで管を介して液体をカセットから離れるように運搬することができる。
【００３０】
第一態様による、又はそのいずれかの前に開示された可能な実施によるテープの第十二の可能な実施では、下部フィルムは、乾燥棒を見つける際にカメラを助けるように構成された参照マークを含むことができる。
【００３１】
参照マークのおかげで、カメラは、参照マークが全くないものより容易でかつ迅速に乾燥棒を見つけることができ、それは、各試験のサンプリングに費やさなければならない時間を短くすることができ、それによってバイオマーカー値の測定の効率を高めることができる。
【００３２】
第一態様による、又はそのいずれかの前に開示された可能な実施によるテープの第十三の可能な実施では、参照マークは、乾燥棒からの上部フィルムの剥離を調整する際にカメラを助けるように構成されることができる。
【００３３】
それによって、参照マークのおかげで、上部フィルムは、乾燥棒へのミルク試料の付与を可能にするために十分であるが上部フィルムが隣りの乾燥棒を剥離するほどではない程度に剥離されることができる。それによって、隣りの乾燥棒は、先行する乾燥棒へのミルク試料の付与時に上部フィルムによって保護されたままである。
【００３４】
第一態様による、又はそのいずれかの前に開示された可能な実施によるテープの第十四の可能な実施では、テープの少なくとも下部フィルムは、テープの第一縁に配置された前進開口の第一群と、テープの第二縁に配置された前進開口の第二群とを含むことができる。
【００３５】
テープの縁に配置された前進開口の利点は、歯を持つキャプスタンリールがテープの前進開口と係合し、それによってテープの位置を調整できることである。
【００３６】
第一態様による、又はそのいずれかの前に開示された可能な実施によるテープの第十五の可能な実施では、テープは、スプールの上に巻かれるように構成されることができる。
【００３７】
第一態様による、又はそのいずれかの前に開示された可能な実施によるテープの第十六の可能な実施では、テープは、約４００〜６００個の乾燥棒を含むことができる。
【００３８】
これによって、約６０〜７０頭の動物にサービスする搾乳ロボットと関連して使用されるとき、約１ヶ月間継続するためにカセットのテープの上に十分な乾燥棒が与えられる。
【００３９】
記載された態様のおかげで、農場での動物のミルク試料のバイオマーカー値は、自動化された態様で測定されることができ、それは、オペレーターに要求する努力を最小にする。
【００４０】
他の利点及び追加の新規な特徴は、続く詳細な記述から明らかになるであろう。
【図面の簡単な説明】
【００４１】
本発明の実施形態は、添付の図面を参照してさらに詳述されるだろう。
【００４２】
【図１】図１は、動物のミルク試料のバイオマーカー値を測定するための装置の一例を示す。
【００４３】
【図２Ａ−２Ｂ】図２Ａは、一実施形態による、サービスモジュール中に挿入されたカセットを示す。図２Ｂは、一実施形態による、乾燥棒を含むテープの一区域を示す。
【００４４】
【図３】図３は、一実施形態によるカセットを示す。
【００４５】
【図４】図４は、一実施形態による、乾燥棒を含むテープの横断面を示す。
【発明を実施するための形態】
【００４６】
本明細書に記述される本発明の実施形態は、テープとして規定され、これらは、以下に記述される実施形態において実行に移されることができる。しかし、これらの実施形態は、例示的なものであり、多くの異なる形態で実現されることができ、本明細書に規定される実施例には限定されない。むしろ、これらの実施形態の例示的な実施例は、この開示を徹底的で完全なものにするために与えられる。
【００４７】
さらに他の目的及び特徴は、以下の詳細な記述を添付の図面と関連して考慮することによって明らかになるだろう。しかし、図面は、例示の目的のためにのみ設計されており、本明細書で開示される実施形態を限定する定義としては設計されていないことは理解されるべきである。実施形態に対する参照は、添付の特許請求の範囲についてなされるべきである。さらに、図面は、必ずしも縮尺通りに描かれていない。明示されない限り、図面は、本明細書に記述される構造及び手順を概念的に示すことを意図されているにすぎない。
【００４８】
図１は、酪農場での酪農動物の群に含まれることができる動物１００を用いたシナリオを示す。
【００４９】
用語「動物」は、任意のタイプの家畜化されたメスのミルク生産及び／又は肉生産動物（例えば、ウシ、ヤギ、ヒツジ、ウマ、ラクダ、ヒトコブラクダ、霊長類、酪乳水牛、ロバ、トナカイ、ヤクなど）であることができる。
【００５０】
動物１００のミルクは、搾乳器具（例えば搾乳ロボット又は他の搾乳装置）によって抽出され、サービスモジュール１２０に与えられることができる。
【００５１】
サービスモジュール１２０は、一部の実施形態では搾乳器具中に解放可能に挿入されることができる。従って、ミルク及びおそらく電気を搾乳器具を介してサービスモジュール１２０に与えるために搾乳器具とサービスモジュール１２０の間にインターフェースがあってもよい。
【００５２】
サービスモジュール１２０は、カメラ、一つ又は複数のポンプ、搾乳器具へのインターフェースに取り付けるための管要素、モーター、通信ユニットなどの様々な電子部品及び器具を含む。
【００５３】
カセット１３０は、サービスモジュール１２０中に脱着可能に挿入されることができる。カセット１３０は、動物１００のミルク試料のバイオマーカー値を示すように構成された、乾燥棒を有するテープを含む。カセット１３０は、一部の実施形態では、サービスモジュール１２０中に脱着可能に挿入され、スナップロック、磁石、ねじなどの固定手段によって適所に保持されることができ、サービスモジュール１２０の扉は、サービスモジュール１２０内にカセット１３０を入れるために閉じられることができ、それによってカセット１３０をその位置にさらに固定することができる。
【００５４】
それによって、動物１００のミルク試料は、搾乳器具によって動物１００から抽出され、サービスモジュール１２０を介してカセット１３０のテープの上の乾燥棒の一つに与えられることができる。乾燥棒は、例えば色又は色の強さを変えることによって、一つ又は複数のバイオマーカーの量及び／又は存在に反応することができる。サービスモジュール１２０中のカメラは、カセット１３０中の開口１３５を通して画像を捕獲することができる。乾燥棒の捕獲された画像は、次いで制御ユニットによって分析されることができ、色の強さに基づいて、ミルク試料中のバイオマーカーの量及び／又は存在が、それによって決定されることができる。
【００５５】
測定されるバイオマーカーは、異なる実施形態では、例えばプロゲステロン、糖タンパク質、エストロゲン及び／又はゴナドトロピン放出ホルモン、又は動物１００の繁殖と関連するいずれかの他の同種のバイオマーカーであることができる。
【００５６】
プロゲステロンは、動物１００の幾つかの生理学的機能を調節するホルモンである。プロゲステロンは、妊娠のために子宮を調整し、もし受精が行なわれたなら妊娠を維持し、動物１００が妊娠時に発情・排卵の兆候を示すことを阻止することができる。プロゲステロンレベルは、例えば妊娠の初期に上昇し、動物１００の妊娠全体を通して高レベルに維持されることができる。ミルク試料中のプロゲステロンレベルは、妊娠、発情サイクル（発熱検出）及び／又は産後の卵巣活動を監視するために使用されることができる。これらの理由のため、農場での動物１００のプロゲステロンレベルをオペレーターが検出して跡をたどることは重要である。
【００５７】
しかしながら、測定されるバイオマーカーは、一部の実施形態では、ＬＤＨ（乳酸デヒドロゲナーゼ）、ＢＨＢ（β−ヒドロキシブチラート）、尿素、及び／又は体細胞数計測；又は動物１００の状態に関する他のバイオマーカーを含むことができる。一部の実施形態では、複数の上で挙げられたバイオマーカーを測定することができる。あるいは、一部の実施形態では、オペレーターは、農家によって選択されたバイオマーカー又は一組のバイオマーカーを測定するように構成された、テープの上の特定の乾燥棒を含むカセット１３０；及び／又は１年の異なる期間中に異なるバイオマーカー又は異なる組のバイオマーカーを測定するように構成された、テープの上の乾燥棒を含む異なるカセット１３０を予約することができる。
【００５８】
一部の実施形態では、投薬モジュール１３７はまた、サービスモジュール１２０中に脱着可能に挿入されることができる。投薬モジュール１３７は、例えば針、及び／又は一つ又は複数のポンプを含むことができる。希釈剤を有する希釈剤容器は、投薬モジュール１３７の外部にあってもよい。
【００５９】
図１及び図２Ａは、読者が大まかな概観を得るために、あまり詳細にせずに、与えられた解決策によるテープが操作することを意図される環境の一般的な概観を描く。関連する全体の詳細の優れた例、特にカセット１３０及びテープ、及びそれらが互いにどのように相互作用するかは、図２Ｂ、図３、及び図４で十分に見ることができる。
【００６０】
図２Ａは、一実施形態による、サービスモジュール１２０、カセット１３０、及び投薬モジュール１３７を示すシナリオを示す。サービスモジュール１２０は、動物１００から受けたミルク試料の生物学的値を決定するために使用される、例えばカメラ２１０、搾乳器具に取り付けるための管要素２２０、モーター、通信ユニット２３０などの器具及び電子要素を含む。一部の実施形態では、投薬モジュール１３７は、管要素２２０を通ってミルク試料を進めるための管要素２２０に作用するように構成された一つ又は複数のポンプを含むことができる。
【００６１】
示された実施形態では、投薬モジュール１３７は、カセット１３０中の開口１３５を通してカセット１３０中のテープ１７０の上の乾燥棒１８０ａ，１８０ｂ，１８０ｃにミルク試料を付与するための針３５０を含むことができる。カメラ２１０は、そのときカセット１３０のテープ１７０の上の乾燥棒１８０ａ，１８０ｂ，１８０ｃと針３５０を整列することができる。
【００６２】
サービスモジュール１２０のカメラ２１０は、開口１３５を通してキャリアテープ１７０の乾燥棒１８０ａ，１８０ｂ，１８０ｃの画像を捕獲することができ、これらの画像に基づいて、カセット外部モーターは、新しい試験がなされる新しい乾燥棒１８０ａ，１８０ｂ，１８０ｃを針３５０に対して位置づけるためにテープ１７０を調整することができる。
【００６３】
通信ユニット２３０は、有線又は無線通信インターフェースを介して、制御ユニット１５０、データベース１４０、及び／又は出力ユニット１６０と通信することができる。
【００６４】
かかる無線通信インターフェースは、Ｗｉ−Ｆｉ，３ＧＰＰ  ＬＴＥ，Ｂｌｕｅｔｏｏｔｈ（登録商標）（ＢＴ）などの無線通信技術を含むか又は少なくともこれらの技術によって影響を受けることができるが、これらは、一部の実施形態において無線通信のいくつかの可能な例にすぎない。
【００６５】
サービスモジュール１２０のカメラ２１０は、カセット１３０の開口１３５を通して、カセット１３０のテープ１７０の上の一つの乾燥棒１８０ａ，１８０ｂ，１８０ｃを検査するように構成される。カメラ２１０はまた、テープ１７０を調整することによって、テープ１７０の上の乾燥棒１８０ａ，１８０ｂ，１８０ｃの位置、及び針３５０の整列を助けることができる。
【００６６】
さらに、サービスモジュール１２０はまた、搾乳器具によって動物１００のミルク試料を受け、ミルク試料を針３５０（針３５０は、投薬モジュール１３７に含まれる）に与えるように構成された管要素２２０を含む。
【００６７】
投薬モジュール１３７は、一部の実施形態では、少なくとも一つのポンプをさらに含むことができ、ポンプは、ミルク試料を針３５０に与えるために管要素２２０に作用するように構成される。従って、ポンプは、管要素２２０に作用してミルク試料を管要素２２０を通して伝播し、針３５０又は針３５０の混合室３５５に到達させることができる。混合室３５５は、代替的に針３５０の外部にあってもよい。
【００６８】
投薬モジュール１３７はまた、液体排出器又は排水器１９５を含むことができ、それは、針３５０によって出力された液体を収集することができる。液体は、ミルクだけを含むとき、一部の実施形態ではミルクラインに戻されることができる。他の実施形態では、ミルクが希釈剤と混合されたとき、液体は、カセット１３０の上のテープ１７０の他の使用していない乾燥棒１８０ａ，１８０ｂ，１８０ｃをぬらしたり又は汚染したりしないようにカセット１３０から離れるように運搬されることができる。
【００６９】
制御ユニット１５０は、カメラ２１０によって捕獲された画像の分析に基づいて、動物１００のミルク試料のバイオマーカー値を決定するように構成される。制御ユニット１５０は、一部の実施形態ではサービスモジュール１２０に含められてもよく、又はサービスモジュール１２０の外部にあってもよい。
【００７０】
データベース１４０は、動物１００の身元参照及び／又は測定の時間スタンプと関連して、動物１００の測定された生物学的値を記憶することができる。動物１００に関連する他の測定値及び／又はデータ（例えばミルク流量計によって測定されるミルク収率、活動度、繁殖、出産経歴、反芻、授乳、休息、飼料摂取、エネルギーバランス、授乳日、ミルク生産、年齢、及び所望により他の同様の動物状態関連パラメーター）はまた、データベース１４０に記憶されることができる。
【００７１】
出力ユニット１６０は、例えば携帯電話、固定又は携帯コンピューター装置、コンピュータータブレット、ディスプレイ、インテリジェントグラス、スマートコンタクトレンズ、拡張現実感装置、スマートウォッチ、又はユーザーインターフェース及び無線通信能力を有する同種装置であることができる。
【００７２】
出力ユニット１６０を介して、オペレーターは、ミルク試料のバイオマーカー測定の結果の一部をとることができる。オペレーターは、それによって、例えばプロゲステロンが測定される場合において、動物１００が発熱しているかどうかのような動物１００の状態を分析することができる。
【００７３】
第一しきい値限界を越える逸脱がバイオマーカー測定の結果と対応する参照値の間で検出されるなら、警告がオペレーターに出力されることができる。警告は、例えば視覚的情報、音声メッセージ、触覚信号、又はそれらの組み合わせを含むことができ、それらは、オペレーターが結果における検出された逸脱の理由をさらに調査することを促すことができる。複数の人々が家畜の群れと働いている場合には、一部の実施形態では、複数のオペレーター及び彼らのそれぞれの関連する出力ユニット１６０に対して放送を行なうことができる。
【００７４】
図２Ｂは、一実施形態によるテープ１７０を示す。カセット１３０をサービスモジュール２１０中に取りはずし可能に挿入することができる。カセット１３０は、テープ１７０を含み、それは、複数の乾燥棒１８０ａ，１８０ｂ，１８０ｃを含む。
【００７５】
乾燥棒１８０ａ，１８０ｂ，１８０ｃは、テープ１７０の長手方向軸１９６に直交する軸１９７に対して傾斜角度αを伴なって配置されることができる。傾斜角度αは、例えば約１５度、又は一部の実施形態では例えば１０〜３０度であることができる。
【００７６】
テープ１７０の上の乾燥棒１８０ａ，１８０ｂ，１８０ｃの少なくとも幾つかの間に、又はテープ１７０の下部フィルムの上に（即ち、下部フィルムの上の乾燥棒１８０ａ，１８０ｂ，１８０ｃの少なくとも幾つかの溶接継目１８１ａ，１８１ｂ，１８１ｃの間に）開口１９０ａ，１９０ｂ，１９０ｃを配置することができる。開口１９０ａ，１９０ｂ，１９０ｃは、クリーニング時に、又はミルク試料を乾燥棒１８０ａ，１８０ｂ，１８０ｃに付与する前に液体を乾燥棒１８０ａ，１８０ｂ，１８０ｃから離れるように運搬するように構成される。
【００７７】
第一の動物１００のミルクは、次に試験される別の動物のミルク試料を汚染するかもしれない。汚染を避けるため、又はキャリーオーバーを避けるため、管及び針３５０は、ミルク試料が乾燥棒１８０ａ，１８０ｂ，１８０ｃに付与される前に、試験される動物のミルクで洗い流されることができる。試験される動物の洗い流されたミルクが他の使用していない乾燥棒１８０ａ，１８０ｂ，１８０ｃを浸漬及び／又は汚染することを避けるために、洗い流しは、例えば開口１９０ａ，１９０ｂ，１９０ｃを通して針３５０を下げることによってテープ１７０の開口１９０ａ，１９０ｂ，１９０ｃを通してなされ、洗い流されたミルクを液体排出器１９５で捕獲することができる。液体排出器１９５は、次いで管を介して液体をカセット１３０から離れるように運搬することができる。
【００７８】
テープ１７０、又はテープ１７０の下部フィルムは、乾燥棒１８０ａ，１８０ｂ，１８０ｃを見つける際にカメラ２１０を助けるように構成された参照マーク１８５ａ，１８５ｂ，１８５ｃをさらに含むことができる。参照マーク１８５ａ，１８５ｂ，１８５ｃは、例えば穴、カラーマーク、バーコード、簡単な幾何学形状、又は同種物を含むことができる。
【００７９】
参照マーク１８５ａ，１８５ｂ，１８５ｃはまた、乾燥棒１８０ａ，１８０ｂ，１８０ｃへのミルク試料の付与を可能とするのに十分なように乾燥棒１８０ａ，１８０ｂ，１８０ｃの上部フィルムを剥離するが次の乾燥棒１８０ａ，１８０ｂ，１８０ｃの上部フィルムを剥離しないようにするため、上部フィルムリールの前進を決定する際にカメラ２１０を助けることができる。
【００８０】
さらに、テープ１７０、又はテープ１７０の下部フィルムは、テープ１７０の第一縁１７１に配置された前進開口１７５の第一群１７３；及びテープ１７０の第二縁１７２又はテープ１７０の下部フィルムに配置された前進開口１７５の第二群１７４を含むことができる。
【００８１】
各乾燥棒１８０ａ，１８０ｂ，１８０ｃは、溶接継目１８１ａ，１８１ｂ，１８１ｃによって、テープ１７０、又はテープ１７０の下部フィルムの上に分離して配置されることができ、封止された乾燥棒１８０ａ，１８０ｂ，１８０ｃは、互いに離れて配置される。
【００８２】
図３は、乾燥棒１８０ａ，１８０ｂ，１８０ｃを分離して有するテープ１７０を含むカセット１３０を示し、乾燥棒１８０ａ，１８０ｂ，１８０ｃは、互いに離れてテープ１７０の上に個々に配置される。
【００８３】
図示された実施形態では、テープ１７０は、テープ１７０の上の乾燥棒１８０ａ，１８０ｂ，１８０ｃを封止するように構成された上部フィルム３１０でカバーされた乾燥棒１８０ａ，１８０ｂ，１８０ｃを含む下部フィルムを含む。
【００８４】
また、図示された実施形態では、テープ１７０の上部フィルム３１０を剥離及び収集するように配置された上部フィルムリール３３０が含められる。上部フィルム３１０は、ミルク試料が剥離された乾燥棒１８０ａ，１８０ｂ，１８０ｃに付与される直前に剥離されることができる。
【００８５】
さらに、カセット１３０は、テープ１７０の上の前進開口１７５と係合するために、歯３７５を含むキャプスタンリール３７０を含むことができる。
【００８６】
カセット１３０は、上部フィルム３１０が剥離された乾燥棒１８０ａ，１８０ｂ，１８０ｃの一つに動物１００のミルク試料を付与するためにサービスモジュール１２０の針３５０が挿入されることが可能となるように構成された開口１３５を含む上蓋３８０をさらに含むことができる。
【００８７】
上蓋３８０は、少なくとも一つの圧力行使部材３８２を含み、圧力行使部材３８２は、それを上蓋３８０から予め決められた距離に保つようにテープ１７０に作用するように配置される。それによって、カメラ２１０は、乾燥棒１８０ａ，１８０ｂ，１８０ｃの上に合焦されることができる。なぜならそれらは、絶えずカメラ２１０から同じ距離に位置されるからである。圧力行使部材３８２は、ばね３８６、又は可撓性材料、及びテープインターフェースユニット３８４を含むことができる。
【００８８】
また、上蓋３８０は、キャプスタンリール３７０の上の歯３７５の適所でテープ１７０の上の前進開口１７５を保つようにテープ１７０に作用することができる。従って、上蓋３８０の形態は、キャプスタンリール３７０の上の歯３７５の適所にテープ１７０の上の前進開口１７５を保つ形状を持つことができる。
【００８９】
カセット１３０の一部の実施形態は、テープ供給スプール１３１とキャプスタンリール３７０の間の軌道にテープ１７０を案内するように配置されたテープ支持部材３２０を含むことができる。テープ支持部材３２０は、テープ１７０がカメラ２１０から予め決められた距離で保たれていることを確かめることができ、それによってカメラ２１０が乾燥棒１８０ａ，１８０ｂ，１８０ｃの上に合焦されることを可能にする。
【００９０】
一部の実施形態では、テープ１７０は、例えば３００〜７００個の乾燥棒１８０ａ，１８０ｂ，１８０ｃ、好ましくは約４００〜６００個の乾燥棒１８０ａ，１８０ｂ，１８０ｃを含むことができる。それによって、カセット１３０のテープ１７０は、平均的な自動搾乳ロボットのミルク試料を約１ヶ月間試験するために十分な乾燥棒１８０ａ，１８０ｂ，１８０ｃを含むことができる。テープ１７０及び乾燥棒１８０ａ，１８０ｂ，１８０ｃを有するカセット１３０は、次いで消耗されると例えばサービス加入により別のものに交換されることができる。一部の実施形態では、カセット１３０は、リサイクルされることができる。即ち、使用済カセット１３０は、開放されることができ、使用済テープ１７０は、使用済カセット１３０から除去されることができる。次いで、新しい、乾燥棒１８０ａ，１８０ｂ，１８０ｃを有する、利用されていないテープ１７０が、カセット１３０中に挿入されることができ、カセット１３０は、再組み立てされることができる。
【００９１】
乾燥棒１８０ａ，１８０ｂ，１８０ｃは、一回の使用のためにそれぞれ設計されることができる。一部の実施形態では、テープ１７０の乾燥棒１８０ａ，１８０ｂ，１８０ｃは、バイオマーカーにさらされると色又は色調を変化するように構成されることができる。
【００９２】
サービスモジュール１２０中のカメラ２１０は、予め決められた又は設定可能な時間期間の後、問題の乾燥棒１８０ａ，１８０ｂ，１８０ｃの画像を捕獲することができる。捕獲された画像の上の乾燥棒１８０ａ，１８０ｂ，１８０ｃの色又は色強度は、次いで、異なる色強度がミルク試料の特定のバイオマーカーレベルと関連することができる制御ユニット１５０によって分析されることができる。
【００９３】
ミルク試料は、一部の実施形態では、テープ１７０の上の乾燥棒１８０ａ，１８０ｂ，１８０ｃに付与される前に例えば混合室３５５で希釈剤と混合されることができる。
【００９４】
希釈剤が別個の実在部中の別個の容器３６０に保持される実施形態では、オペレーターは、異なる時間間隔でカセット１３０、投薬モジュール１３７、及び／又は希釈剤容器３６０を交換してもよい。限定されない例では、カセット１３０は、１ヶ月に１回交換されてもよく、針３５０を含む投薬モジュール１３７は、１年に２回交換されてもよい。一部の実施形態では、希釈剤容器３６０は、例えば２ヶ月ごと、３ヶ月ごとなどで交換されてもよい。一部の実施形態では、オペレーターは、希釈剤を補充してもよく、それは、オペレーターのコスト全体を減少することができる。さらに、複数の交換可能な実在物、例えばカセット１３０、投薬モジュール１３７、希釈剤容器３６０などを有することによる利点は、例えば針３５０のような中に含まれた実在物の組み立てエラー又は輸送損傷が起こる場合には、欠陥物を含む特定の交換可能な実在物（カセット１３０、投薬モジュール１３７、希釈剤容器３６０など）のみが交換されれば十分であることであり、それは、資源を節約することである。
【００９５】
一部の実施形態では、投薬モジュール１３７は、ミルク試料を針３５０に与えるために管要素２２０に作用するように構成された少なくとも一つのポンプ；及び希釈剤を混合室３５５に与えるように構成された第二のポンプを含むことができる。
【００９６】
ミルクと希釈剤の比率は、各液体（ミルク／希釈剤）がそれぞれのポンプと関連する場合には、液体の一方又は両方のそれぞれのポンプスピードを変化することによって調整されることができる。
【００９７】
投薬モジュール１３７に含まれる針３５０は、一部の実施形態では、混合されたミルク試料を一つの乾燥棒１８０ａ，１８０ｂ，１８０ｃに付与する前に得られた希釈剤をミルク試料と混合するように構成された混合室３５５を含むことができる。あるいは、ミルク及び希釈剤は、一部の実施形態では、別個の混合室３５５で混合されることができる。
【００９８】
一部の実施形態では、カセット１３０及び／又は投薬モジュール１３７は、環境から封止され、それによって気候室を作り出すことができ、カセット１３０／投薬モジュール１３７中では気候環境が広がる。これによって、カセット１３０／投薬モジュール１３７は、農場のゴミ、汚れ、液体などの環境衝撃から隔離されるようになる。
【００９９】
テープ１７０が、使用される乾燥棒１８０ａ，１８０ｂ，１８０ｃを針３５０と整列した位置に位置させるために移動されるとき、ミルク／希釈剤の混合物は、乾燥棒１８０ａ，１８０ｂ，１８０ｃの上に付与されることができる。
【０１００】
カメラ、モーター、ポンプ、及び他の電子機器及び／又は装置を含むサービスモジュール１２０と、使い捨て材料を含む一つ又は複数のカセット又はモジュール１３０，１３７，３６０とを分割することによる開示された解決策の利点は、解決策がオペレーターにとって極めて容易に使用することができるようになるということである。
【０１０１】
カセット１３０は、例えば１ヶ月、２ヶ月などの特定の予め決定された時間期間の間、農場を支援するための乾燥棒１８０ａ，１８０ｂ，１８０ｃなどを含むことができる。この時間期間が終わる前に、供給者は、新しいカセット１３０を農場に供給することができる。オペレーターは、この新しいカセット１３０を、サービスモジュール１２０の繊細な電子機器と相互作用する必要なしにサービスモジュール１２０中に入れることができる。使用済のカセット１３０は、廃棄されることができる。
【０１０２】
ハードウェアの故障又は他の不調が生じた場合、オペレーターは、サービスモジュール１２０を搾乳器具から除去し（そしてまた、カセット１３０をサービスモジュール１２０から除去し）、除去したサービスモジュール１２０を修理／調整のためにサービスの供給者に与えることができる。サービスモジュール１２０が修理中の間、オペレーターは、例えば、別のサービスモジュール１２０をサービスの供給者から借りることができる。それによって、動物１００のバイオマーカー値は、サービスモジュール１２０又はそのいずれかの一部分が不調の場合でも、中断なしに監視されることができる。また、外部の技術者が使い捨てカセット１３０又は投薬モジュール１３７の交換のためやサービスモジュール１２０のエラーを分析するために農場を訪問する必要はないので、サービス及びメンテナンスのための費用は最小限になるか、又は少なくとも低減される。
【０１０３】
図４は、一実施形態によるテープ１７０の横断面を示す。テープ１７０は、下部フィルム４１０の上で複数の乾燥棒１８０ａ，１８０ｂ，１８０ｃを分離して保持するように操作可能な下部フィルム４１０を含み、それらの乾燥棒１８０ａ，１８０ｂ，１８０ｃは、動物１００のミルク試料の少なくとも一つのバイオマーカー値を示すように構成される。各乾燥棒１８０ａ，１８０ｂ，１８０ｃは、互いに離れて配置された溶接継目１８１ａ，１８１ｂ，１８１ｃによって個別に封止されることができる。
【０１０４】
さらに、テープ１７０はまた、下部フィルム４１０の上の複数の乾燥棒１８０ａ，１８０ｂ，１８０ｃをカバーし、乾燥棒１８０ａ，１８０ｂ，１８０ｃへミルク試料を付与する前に個々の乾燥棒１８０ａ，１８０ｂ，１８０ｃから剥離されるように構成された上部フィルム３１０を含む。
【０１０５】
カセット１３０の上部フィルムリール３３０は、テープ１７０の上部フィルム３１０を剥離し、上部フィルム３１０を収集するように配置されることができる。
【０１０６】
上部フィルム３１０を付与する理由は、第一の動物１００からのミルクが、続く動物がバイオマーカー試験のために使用することになる乾燥棒１８０ａ，１８０ｂ，１８０ｃをぬらさないことが重要であるからである。なぜなら第一の動物からのミルクは、第二の動物の乾燥棒１８０ａ，１８０ｂ，１８０ｃを汚染するかもしれないからである。この理由のため、カセット１３０は、一つの乾燥棒１８０ａ，１８０ｂ，１８０ｃが針３５０と整列した位置に調整されるときに一つの乾燥棒１８０ａ，１８０ｂ，１８０ｃから封止テープを除去するように構成された封止解除装置をさらに含むことができる。上部フィルム３１０は、一部の実施形態では下部フィルム４１０より薄く、例えば１０％薄く、２０％薄く、４０％薄くなどすることができる。
【０１０７】
下部フィルム４１０は、下部層４１１、中間層４１２、及び上部層４１３を含むことができる。下部層４１１及び上部層４１３は、例えばポリエチレン、ポリプロピレン、ポリアミド、ポリエチレンテレフタレート、ポリエチレンテレフタレートポリエステル、ポリクロロトリフルオロエチレン、ポリ塩化ビニリデン、ポリプロピレン、ポリ塩化ビニル、及び／又はポリスチレン又は熱可塑性ポリエステルのような同種材料のようなプラスチックから作られることができる。特に、上部層４１３は、ポリエチレンから作られることができる。一部の実施形態では、プラスチックは、バイオプラスチック又は植物性プラスチックを含むことができる。即ち、分解可能、生物分解可能、及び／又は堆肥可能であるプラスチック材料を含むことができる。
【０１０８】
下部フィルム４１０の中間層４１２は、アルミニウム又はアルミニウムベースの合金から作られることができ、例えば９μｍ〜２５μｍの厚さを有することができる。
【０１０９】
テープ１７０の上部フィルム３１０は、下部層３１１、中間層３１２、及び上部層３１３を含む。下部層３１１及び上部層３１３は、例えばポリエチレン、ポリプロピレン、ポリアミド、ポリエチレンテレフタレート、ポリクロロトリフルオロエチレン、ポリ塩化ビニリデン、ポリプロピレン、ポリ塩化ビニル、及び／又はポリスチレン又は同種材料のようなプラスチックから作られることができる。特に、下部層３１１は、ポリエチレンから有利に作られることができる。一部の実施形態では、プラスチックは、バイオプラスチック又は植物性プラスチックを含むことができる。即ち、分解可能、生物分解可能、及び／又は堆肥可能であるプラスチック材料を含むことができる。
【０１１０】
下部フィルム４１０の層４１１，４１２，４１３、及び上部フィルム３１０の層３１１，３１２，３１３は、それぞれ積層されることができる。
【０１１１】
上部フィルム３１０の中間層３１２は、アルミニウム又はアルミニウムベースの合金から作られることができ、例えば９μｍ〜２５μｍの厚さを有することができる。
【０１１２】
下部フィルム４１０の中間層４１２及び／又は上部フィルム３１０の中間層３１２のためにアルミニウム箔の薄層（例えば約９μｍ厚）を使用することは、カセット１３０のスプール１３１，１３２の上により多くの（より長い）テープ１７０を可能にする利点を有する。また、厚い（例えば約２５μｍ厚）アルミニウム箔を使用するよりも安価である。しかしながら、中間層４１２，３１２のために厚いアルミニウム箔を使用することは、テープ１７０を機械的損傷に対して敏感でないようにさせる。妥協は、一部の実施形態では、下部フィルム４１０の中間層４１２に対しては例えば約１５〜２５μｍの厚いアルミニウム箔を使用し、上部フィルム３１０の中間層３１２に対しては例えば約９〜１５μｍの薄いアルミニウム箔を使用することであることができる。
【０１１３】
乾燥棒１８０ａ，１８０ｂ，１８０ｃは、下部フィルム４１０と上部フィルム３１０の間に維持されることができ、個々に封止されることができる。各乾燥棒１８０ａ，１８０ｂ，１８０ｃの個々の封止は、上部フィルム３１０の下部層３１１とともに下部フィルム４１０の上部層４１３を溶接することによって作られることができる。それによって、乾燥棒１８０ａ，１８０ｂ，１８０ｃは、それらが順に針３５０からミルク試料を受けとらないとき、乾燥棒１８０ａ，１８０ｂ，１８０ｃの操作に影響しうる湿分又はミルク汚染から極めて良好に保護される。溶接を容易にするために、下部フィルム４１０の上部層４１３及び／又は上部フィルム３１０の下部層３１１は、ポリエチレンから作られることができる。なぜならポリエチレンは、溶接するのが容易であるからである。
【０１１４】
中間層３１２，４１２の目的は、テープ１７０のスプール１３１，１３２の上に巻かれるのに十分な可撓性をテープ１７０になお与えながら、テープ１７０に堅さを与えることである。この目的のため、中間層３１２，４１２は、有利には、アルミニウム箔、又はアルミニウム合金から作られた箔から作られることができる。また、中間層３１２，４１２は、乾燥棒１８０ａ，１８０ｂ，１８０ｃを湿気から保護する液体バリヤーを与える。
【０１１５】
下部フィルム４１０の下部層４１１の目的は、引っ掻き及び他の望ましくない機械的衝撃から中間層４１２を保護することである。なぜなら中間層４１２は、特にアルミニウム箔から作られるとき、破壊されやすく、引っ掻きに対して敏感であるからである。同じことは、上部フィルム３１０の上部層３１３についても言うことができる。下部フィルム４１０の下部層４１１及び上部フィルム３１０の上部層３１３は、有利には、上述のようにプラスチックから作られることができる。プラスチックはまた、低摩擦の利点を有し、それは、テープ１７０のスプール１３１，１３２の間に供給されるときにテープ１７０の滑らかな走行を確実にする。
【０１１６】
図１、図２Ａ、図２Ｂ、図３及び／又は図４に示されている実施形態又はその一部は、さらなる利点を達成するために相互に有利に組み合わせられることができる。
【０１１７】
添付の図面に示されているような実施形態の記述において使用されている用語は、記述されたテープ１７０、カセット１３０、サービスモジュール１２０、及び／又は制御ユニット１５０を限定することを意図されない。添付の特許請求の範囲によって規定される本発明の実施形態から離れることなく、様々な変化、置換、及び／又は変更を行なうことができる。
【０１１８】
本明細書で使用される用語「及び／又は」は、関連するリストに挙げられた項目の一つ以上のいかなる及び全ての組み合わせを含む。本明細書で使用される用語「又は」は、明記されない限り、数学的なＯＲ（つまり、包括的な分離）として解釈されるべきであり、数学的な排他的ＯＲ（ＸＯＲ）として解釈されるべきでない。加えて、単数形「ａ」、「ａｎ」及び「ｔｈｅ」は、「少なくとも一つの」として解釈されるべきであり、従って、明記されない限り、同じ種類の複数の実体を含むことがあり得る。さらに、用語「含む」（「ｉｎｃｌｕｄｅｓ」、「ｃｏｍｐｒｉｓｅｓ」、「ｉｎｃｌｕｄｉｎｇ」及び／又は「ｃｏｍｐｒｉｓｉｎｇ」）は、述べられた特徴、行動、整数、ステップ、操作、要素、及び／又は成分の存在を特定するが、一つ以上の他の特徴、行動、整数、ステップ、操作、要素、成分、及び／又はそれらの群の存在又は追加を除外しないことが理解されるだろう。例えばプロセッサーなどの単数のユニットは、特許請求の範囲において言及されたいくつかの項目の機能を満たすことができる。特定の測定値又は特徴が相互に異なる従属項において言及されていたり、異なる図において示されていたり、又は異なる実施形態との関連で論じられていたりするという事実は、これらの測定値又は特徴の組み合わせが有利に使用できないということを示さない。コンピュータープログラムは、他のハードウェアと共に又はその一部として供給された好適な媒体（例えば、光学記憶媒体又は固体状態媒体）上に、記憶／分散されることができるが、インターネット又は他の有線もしくは無線通信システムなどを介して他の形で分散されることもできる。  
【図１】
2021509466.tif 000003
【図２Ａ−２Ｂ】
2021509466.tif 000004
【図３】
2021509466.tif 000005
【図４】
2021509466.tif 000006
【国際調査報告】
2021509466.tif 000007
2021509466.tif 000008